(57)【特許請求の範囲】
【請求項１】
袋本体に接合される注出口において、
注出口本体と、
この注出口本体に連接し、前記袋本体に接合される接合部とを備え、
前記接合部は複数の縁を有するとともに、
前記接合部はその外面に形成された少なくとも一本の溝を有し、
前記溝の一端部および他端部は接合部の前記複数の縁のうち一つの縁に連通する連通端部となっており、
前記溝は溝線と、この溝線から分岐する分岐部とを有し、前記溝線は前記２つの連通端部を含み、前記分岐部は前記接合部内に留まることを特徴とする注出口。
【請求項２】
袋本体に接合される注出口において、
注出口本体と、
この注出口本体に連接し、前記袋本体に接合される接合部とを備え、
前記接合部は複数の縁を有するとともに、
前記接合部はその外面に形成された少なくとも一本の溝を有し、
前記溝の一端部および他端部は接合部の前記複数の縁のうち一つの縁に連通する連通端部となっており、
前記溝は第１の溝線と、両端部が前記第１の溝線に接続された第２の溝線とを有し、前記第１の溝線は前記２つの連通端部を含み、前記第２の溝線は前記接合部内に留まることを特徴とする注出口。
【請求項３】
袋本体に接合される注出口において、
注出口本体と、
この注出口本体に連接し、前記袋本体に接合される接合部とを備え、
前記接合部は複数の縁を有するとともに、
前記接合部はその外面に形成された少なくとも一本の溝を有し、
前記溝の一端部および他端部は接合部の前記複数の縁のうち一つの縁に連通する連通端部となっており、
前記接合部は前記袋本体から前記注出口本体へ向かう液体の流れ方向に沿って延びる一対の側縁を有するとともに、一端部および他端部が接合部の縁に連通する追加溝を有し、前記追加溝の一端部および他端部のうち少なくとも一方は、前記一対の側縁のうちの一方の側縁に形成されることを特徴とする注出口。
【請求項４】
前記接合部は、前記袋本体の上縁に接合され、前記接合部の一つの縁は前記外面の周縁を含むことを特徴とする請求項１または２記載の注出口。
【請求項５】
前記接合部はリング状をなすとともに、前記袋本体の面内に接合されることを特徴とする請求項１または２記載の注出口。
【請求項６】
袋本体と、
この袋本体に接合された、請求項１乃至５のいずれか記載の注出口とを備えることを特徴とする液体収納容器。
【請求項７】
前記注出口は開口部を有する外装容器に直接装着され、前記注出口は前記開口部に係合するフランジを有することを特徴とする請求項６記載の液体収納容器。
【請求項８】
前記注出口は開口部を有する外装容器に保持具を介して装着され、前記注出口は前記保持具に係合するフランジを有することを特徴とする請求項６記載の液体収納容器。
【請求項９】
外装容器と、
この外装容器内に収納された、請求項６乃至８のいずれか記載の液体収納容器とを備えることを特徴とする液体収納容器と外装容器との組合体。
【発明の詳細な説明】
【技術分野】
【０００１】
本発明は、注出口、液体収納容器、および液体収納容器と外装容器との組合体に係り、とりわけ工業薬品分野、医薬品や化粧品原料分野等で流動性内容物の保管や輸送に供せられる注出口、液体収納容器、および液体収納容器と外装容器との組合体に関する。
【背景技術】
【０００２】
従来、工業薬品分野、医薬品や化粧品原料分野等で、保管や輸送にアルミニウム、スチール、ステンレス、ファイバーボード等で作られた外装容器の内部に配置され、流動性内容物を収容する液体収納容器が使用されている。
【０００３】
このような液体収納容器は、使用済みの液体収納容器を外装容器から取り出し、新たな液体収納容器を外装容器内にセットするだけで再使用することができるために、例えば、液体収納容器を使用せずに直にスチール等の外装容器に流動性内容物を充填する場合に比べて、洗浄する手間等が省けるなどの利点があり、工業薬品、医薬品や化粧品原料の容器として広く使用されている。
【０００４】
また液体収納容器として、袋本体と、袋本体に取付けられた注出口とを有するものが知られている。このような液体収納容器は、まずコンパクトに折畳まれ外装容器の開口部から外装容器内に挿入される。
【０００５】
ところで、注出口は袋本体に接合されて取付けられるが、このような注出口は注出口本体と、袋本体に接合される接合部とを有する。このような構成からなる注出口において、接合部を確実に袋本体に接合するための技術が求められているが、袋本体に確実に接合できる接合部をもった注出口および液体収納容器は開発されていないのが実情である。
【先行技術文献】
【特許文献】
【０００６】
【特許文献１】特開２０１３−１０７６５５号公報
【特許文献２】特許第５，３９０，３１８号公報
【発明の開示】
【発明が解決しようとする課題】
【０００７】
本発明はこのような点を考慮してなされたものであり、確実に袋本体に接合することができる注出口、この注出口を用いた液体収納容器、および液体収納容器と外装容器との組合体を提供することを目的とする。
【課題を解決するための手段】
【０００８】
本発明は、袋本体に接合される注出口において、注出口本体と、この注出口本体に連接し、前記袋本体に接合される接合部とを備え、前記接合部は複数の縁を有するとともに、前記接合部はその外面に形成された少なくとも一本の溝を有し、前記溝の一端部および他端部は接合部の前記複数の縁のうち一つの縁に連通する連通端部となっていることを特徴とする注出口である。
【０００９】
本発明は、前記接合部は、前記袋本体の上縁に接合され、前記接合部の一つの縁は前記外面の周縁を含むことを特徴とする注出口であってもよい。
【００１０】
本発明は、前記接合部はリング状をなすとともに、前記袋本体の面内に接合されることを特徴とする注出口であってもよい。
【００１１】
本発明は、前記溝は溝線と、この溝線から分岐する分岐部とを有し、前記溝線は前記２つの連通端部を含み、前記分岐部は前記接合部内に留まることを特徴とする注出口であってもよい。
【００１２】
本発明は、前記溝は溝線と、この溝線に連続する閉鎖形状領域とを有し、前記溝線は前記２つの連通端部を含み、前記閉鎖形状領域は前記接合部内に留まることを特徴とする注出口であってもよい。
【００１３】
本発明は、前記接合部は一端部および他端部が接合部の縁に連通する追加溝を有し、前記追加溝の一端部および他端部のうち、少なくとも一方は前記袋本体から前記注出口本体へ向かう液体の流れ方向に沿って延びる縁に形成されることを特徴とする注出口であってもよい。
【００１４】
本発明は、袋本体と、この袋本体に接合される注出口とを備え、この注出口は、注出口本体と、この注出口本体に連接し、前記袋本体に接合される接合部とを備え、前記接合部は複数の縁を有するとともに、前記接合部はその外面に形成された少なくとも一本の溝を有し、前記溝の一端部および他端部は接合部の前記複数の縁のうち一つの縁に連通する連通端部となっていることを特徴とする液体収納容器である。
【００１５】
本発明は、前記注出口は全体として合成樹脂製となっており、前記注出口と前記袋本体は溶着されたことを特徴とする液体収納容器であってもよい。
【００１６】
本発明は、前記注出口は開口部を有する外装容器に直接装着され、前記注出口は前記開口部に係合するフランジを有することを特徴とする液体収納容器であってもよい。
【００１７】
本発明は、前記注出口は開口部を有する外装容器に保持具を介して装着され、前記注出口は前記保持具に係合するフランジを有することを特徴とする液体収納容器であってもよい。
【００１８】
本発明は、外装容器と、この外装容器内に収納された液体収納容器とを備え、前記液体収納容器は、袋本体と、この袋本体に接合される注出口とを備え、この注出口は、注出口本体と、この注出口本体に連接し、前記袋本体に接合される接合部とを備え、前記接合部は複数の縁を有するとともに、前記接合部はその外面に形成された少なくとも一本の溝を有し、前記溝の一端部および他端部は接合部の前記複数の縁のうち一つの縁に連通する連通端部となっていることを特徴とする液体収納容器と外装容器との組合体である。
【発明の効果】
【００１９】
以上のように本発明によれば、注出口の接合部を確実に袋本体に接合することができる。また、本発明の液体収納容器と外装容器との組合体によれば、注出口の接合部が確実に袋本体に接合されているため、液体収納容器が外装容器内で支持された状態で内容量が大きく内容物の荷重負荷が袋本体に大きく掛かる場合であってもその荷重に十分耐えることができる。
【図面の簡単な説明】
【００２０】
【図１】図１は本発明による液体収納容器を示す平面図。
【図２】図２は注出口を示す斜視図。
【図３】図３は注出口を示す側面図。
【図４】図４は注出口を示す平面図。
【図５】図５は注出口を示す底面図。
【図６】図６は注出口と保持具の組合体を示す斜視図。
【図７】図７は注出口と保持具の組合体を示す側断面図。
【図８】図８は液体収納容器を外装容器内に挿入する状態を示す図。
【図９】図９は液体収納容器の袋本体の層構成を示す断面図。
【図１０】図１０（ａ）は保持具を示す平面図、図１０（ｂ）はその側面図。
【図１１】図１１（ａ）（ｂ）（ｃ）は注出口の接合部の構成例を示す図。
【図１２】図１２（ａ）（ｂ）（ｃ）（ｄ）（ｅ）（ｆ）（ｇ）（ｈ）（ｉ）（ｊ）は注出口の接合部の構成例を示す図。
【図１３】図１３（ａ）（ｂ）（ｃ）（ｄ）（ｅ）（ｆ）は注出口の接合部の構成例を示す図。
【図１４】図１４（ａ）（ｂ）は注出口の接合部の構成例を示す図。
【図１５】図１５（ａ）（ｂ）（ｃ）（ｄ）（ｅ）（ｆ）（ｇ）（ｈ）（ｉ）（ｊ）（ｋ）（ｌ）は注出口の接合部の構成例を示す図。
【図１６】図１６（ａ）（ｂ）（ｃ）（ｄ）（ｅ）（ｆ）（ｇ）（ｈ）（ｉ）（ｊ）（ｋ）は注出口の接合部の構成例を示す図。
【図１７】図１７（ａ）（ｂ）は注出口の接合部の構成例を示す図。
【図１８】図１８（ａ）（ｂ）（ｃ）（ｄ）（ｅ）は注出口の接合部の構成例を示す図。
【図１９】図１９は注出口の接合部の構成例を示す図。
【図２０】図２０（ａ）（ｂ）（ｃ）（ｄ）は注出口の接合部の構成例を示す図。
【図２１】図２１（ａ）（ｂ）（ｃ）は注出口の接合部の構成例を示す図。
【図２２】図２２（ａ）（ｂ）（ｃ）（ｄ）は注出口の接合部の構成例を示す図。
【図２３】図２３（ａ）（ｂ）は注出口の接合部の構成例を示す図。
【図２４】図２４（ａ）（ｂ）（ｃ）は注出口の接合部の構成例を示す図。
【図２５】図２５（ａ）（ｂ）は注出口の接合部の構成例を示す図。
【図２６】図２６（ａ）は注出口を示す平面図、図２６（ｂ）はその側面図、図２６（ｃ）はその底面図。
【図２７】図２７（ａ）は液体収納容器を示す平面図、図２７（ｂ）（ｃ）はその注出口部分を示す断面図。
【図２８】図２８（ａ）（ｂ）（ｃ）（ｄ）（ｅ）は注出口の接合部の構成例を示す図。
【図２９】図２９（ａ）（ｂ）（ｃ）（ｄ）（ｅ）は注出口の接合部の構成例を示す図。
【図３０】図３０（ａ）（ｂ）（ｃ）（ｄ）（ｅ）は注出口の接合部の構成例を示す図。
【図３１】図３１は本発明の変形例による液体収納容器を示す図。
【図３２】図３２は本発明の他の変形例による液体収納容器を示す正面図。
【図３３】図３３（ａ）は本発明の他の変形例による液体収納容器を示す拡大図、図３３（ｂ）は更に他の変形例による液体収納容器を示す拡大図。
【図３４】図３４（ａ）は本発明の他の変形例による液体収納容器を示す底面図、図３４（ｂ）は更に他の変形例による液体収納容器を示す底面図。
【発明を実施するための形態】
【００２１】
＜本発明の実施の形態＞
以下、図面を参照して本発明を実施するための形態を説明する。  
ここで図１乃至図２５は本発明の実施の形態を示す図である。
【００２２】
まず図１の液体収納容器１について説明する。  
液体収納容器１は、外袋２０と２重の内袋２１とを重ね合わせた３重の多重フィルム２を、内袋２１同士が対向するように重ね合わせて合計６枚とし、その四辺をヒートシール（溶着、特に熱溶着）してヒートシール部１０を形成した袋本体３と、この袋本体３の上縁３ａに配置され内袋２１間に予め接合された注出口４０とを備えている。この場合、注出口４０は接着や溶着などの接合手段で接合され溶着される。
【００２３】
尚、本実施の形態では、袋本体３は多重フィルム２を内袋２１同士が対向するようにして積層し、四辺をヒートシールしてヒートシール部１０を形成することにより得られるが、これに限定されるものではなく、例えば、多重フィルム２を内袋２１同士が対向するようにして折り曲げた後、重なり合った外周辺の三辺をヒートシールして形成してもよい。また、ヒートシール部１０の内縁各部は、その内縁が弧状となるよう形成してもよい。これによって、角部に流動性内容物が残存し難い構造となる。また、袋本体は必ずしも多重フィルムから構成する必要はなく、袋本体３のフィルム構成は内容物や量に応じて適宜選定できる。なお、袋本体３は外袋２０と内袋２１とを重ね合わせた２重の多重フィルム２を、内袋２１同士が対向するように重ね合わせて合計４枚とし、その四辺をヒートシールしてヒートシール部１０を形成した袋本体３である２重袋でもよいし、３重袋でもよく、内容量が大きく内容物の荷重負荷が袋本体に大きく掛かる場合には荷重に耐えるため３重袋が好ましい。
【００２４】
なお、本実施の形態では、袋本体３が２枚の多重フィルムを重ね合わせた態様で形成されている例を示したが、これに限らず、フィルムを２枚用意して４辺をヒートシールしたり、あるいは１枚のフィルムを折り返して３辺をヒートシールすることにより、単層のフィルムで袋本体３を形成することも可能である。
【００２５】
なお、上述のように袋本体３は２枚の多重フィルム２を重ね合わせ、周縁をヒートシールしてヒートシール部１０を形成することにより得られる。この場合、袋本体３は上縁３ａと、底縁３ｂと、２側縁３ｃ、３ｃとを有する矩形形状を有している。また上縁３ａは１本の上縁ヒートシール部１０ａを含み、底縁３ｂは１本の底縁ヒートシール部１０ｂを含み、各側縁３ｃ、３ｃは１本の側縁ヒートシール部１０ｃを有し、これら上縁ヒートシール部１０ａと、底縁ヒートシール部１０ｂと、側縁ヒートシール部１０ｃとによりヒートシール部１０が構成されている。
【００２６】
また、本実施の形態では袋本体３の上縁３ａは、上述のように１本の上縁ヒートシール部１０ａを含むが、上縁３ａに２本以上のヒートシール部を形成してもよい。例えば図３１に示す変形例のように、上縁３ａのヒートシール部１０ａを２本に分けることにより、例えば上縁３ａに２本分のヒートシール部１０ａの幅をもつ１本のヒートシール部を形成する場合に比べて、上縁３ａを比較的軟質に構成することができる。
【００２７】
また注出口４０は、袋本体３の上縁３ａに溶着された接合部５０と、該接合部５０に連接され袋本体３から外方へ突出する注出口本体４１とを有し、注出口本体４１の上端には注出口フランジ４２が設けられている。また、図１に示すように、注出口４０は接合部５０で多重フィルム２の内袋２１間に溶着されている。
本実施の形態では内容液の荷重による負荷が、２枚の多重フィルム２へ均等に掛かり、また、接合部５０の全体へ掛かる。このため、液体収納容器１の破損を防止することができる。さらに、液体収納容器１の全体形状が対照的になるため、袋本体３を外装容器内で均等に膨らますことができる。
【００２８】
注出口４０の接合部５０は、図２乃至図７に示すように、中央部５１と、中央部５１の両側に設けられ中央部５１の厚みより薄肉となる薄肉部５２をもつ楕円筒体からなり、扁平状で中央部５１に貫通穴４５を有する。通常、注出口４０を接合部５０において多重フィルム２の内袋２１間に溶着する際に、内袋２１間と接合部５０の端部で囲まれる２つの領域に隙間ができて密封不良となり易い。これを防止するために両側に薄肉部５２を設け、溶着時にこの薄肉部５２を溶融することにより隙間ができることを防止する。
【００２９】
また注出口４０の注出口本体４１は、断面形状が略Ｕ字形状の筒状体からなり、その上端周縁に注出口フランジ４２が設けられている。注出口本体４１の底部４３には、開口４４が形成されている。この開口４４によって液体収納容器１と、後述する外装容器５（図８参照）との間に通気を確保することができ、使用時に内容液を汲み出す際には、この開口４４を通じて液体収納容器１と外装容器５との間に気体を導入して、液体収納容器１の外部から大気圧をかけて液体収納容器１内部の内容液の汲み出しをスムーズに行うことができる。また注出口本体４１内の底部４３には、注出口上部部材７０が垂直方向に延びて設けられている。
【００３０】
注出口４０の注出口フランジ４２は外装容器５に形成された開口部５ａに後述する保持具８０を介して装着され、液体収納容器１が外装容器５内で支持される。なお、注出口フランジ４２は外装容器５の開口部５ａに保持具８０を介さず直接装着されてもよい。
【００３１】
注出口４０は、好ましくは射出成形法にて製造される。これに用いる樹脂としては射出成形可能な樹脂であれば特に限定するものではないが、多重フィルム２の内袋２１の内面を構成する樹脂と溶着により接合されるために、内袋２１の内面を構成する樹脂により適宜選択する必要があるが、通常は高温時でも剛性があり、低温時において脆化し難い高密度ポリエチレンが好適である。
【００３２】
図９は、袋本体３を構成する多重フィルム２の層構成を示す概略断面図である。図９に示すように、本実施の形態の多重フィルム２は、袋本体３の外側から順に、未延伸ナイロン層２０ａ、ガスバリア層２０ｂ、及び、ポリエチレン層２０ｃ、の３層構造を有する外袋２０と、直鎖状低密度ポリエチレン製の２枚の内袋２１、２１と、から構成されている。なお用いる流動性内容物にガスバリア性が必要ない場合、ガスバリア層２０ｂを省略した２層構造としてもよい。
【００３３】
この場合、外袋２０は未延伸ナイロン層２０ａを含むため、外袋２０としてはその伸長度を増加させることができ、例えば外袋２０は３００％〜５００％の伸長度をもつ。このように外袋２０は高い伸長度をもつことができるため、袋本体３を全体として軟質とすることができ、後述のように外装容器５内に袋本体３を挿入し、この袋本体３内に通常大気や窒素ガスやクリーンドライエアーを供給して袋本体３を外装容器内で膨らませる際、スムーズに袋本体３を膨らませることができる。
【００３４】
なお、袋本体３の材料としては上述したものに限られることはない。
【００３５】
例えば内袋２１の材料としては、低密度ポリエチレン、低密度ポリエチレンと直鎖状低密度ポリエチレンの混合物、低密度ポリエチレンと直鎖状低密度ポリエチレンの積層体のような材料を用いることができる。
【００３６】
また外袋２０の材料としては、伸長度が３００％〜５００％のもの、例えば低密度ポリエチレン、直鎖状低密度ポリエチレン、低密度ポリエチレンと直鎖状低密度ポリエチレンの混合物、低密度ポリエチレンと直鎖状低密度ポリエチレンの積層体のような材料を用いることができる。
【００３７】
ところで上述のように、注出口４０の注出口フランジ４２は外装容器５の開口部５ａに保持具８０を介して装着される。この保持具８０は、開口部５ａと注出口４０との間に介在されて、外装容器５の開口部５ａの形状が注出口フランジ４２の外形より多少大きくなっても開口部５ａに注出口４０を確実に装着するよう機能する。
【００３８】
次に保持具８０について、詳述する。  
保持具８０は外装容器５の開口部５ａに係合する外側フランジ８１と、この外側フランジ８１に連結段部８３を介して連結され注出口４０の注出口フランジ４２に係合する内側フランジ８２とを有し、全体として開口８０ａを有するリング形状からなる。
【００３９】
また保持具８０の内側フランジ８２は開口８０ａを形成するリング形状をもち、その内径はａ１となっている。また内側フランジ８２にはその中心を通る直線上に、対向する一対の切欠き８５、８５が設けられており、この切欠き８５、８５を通る内側フランジ８２の内径はａ２となっている（図１０参照）。
【００４０】
このため、図１０に示すように、内側フランジ８２の最小内径はａ１、最大内径はａ２となる。
【００４１】
このように構成された保持具８０は、液体収納容器１の注出口４０に装着されるが、この場合、注出口４０の注出口フランジ４２はリング形状（円形状）をなしている。このため注出口フランジ４２の最大外径ｂ１および最小外径ｂ２は、互いに等しくなっている。
【００４２】
次に保持具８０の内側フランジ８２の最小内径ａ１と最大内径ａ２、および注出口４０の注出口フランジ４２の最大外径ｂ１と最小外径ｂ２の関係について説明する。
【００４３】
内側フランジ８２の最大内径ａ２は注出口フランジ４２の最小外径ｂ２より大きく、ａ２＞ｂ２となっている。
【００４４】
また内側フランジ８２の最小内径ａ１は注出口フランジ４２の最大外径ｂ１より小さくａ１＜ｂ１となっている。
【００４５】
このようにａ２＞ｂ２となっているため、注出口フランジ４２は、保持具８０の一対の切欠き８５間を延びる空間を通過可能となっている。さらにａ１＜ｂ１となっているため、保持具８０の一対の切欠き８５間を通過した注出口フランジ４２は、保持具８０の内側フランジ８２に係止可能となっている。
【００４６】
ところで、保持具８０の内側フランジ８２の最小内径ａ１および最大内径ａ２と、注出口４０の注出口フランジ４２の最大外径ｂ１および最小内径ｂ２は、次のように規定することもできる。
【００４７】
すなわち、保持具８０の内側フランジ８２の最小内径ａ１は内側フランジ８２の内側縁８２Ａの向い合う２点間を結ぶ直線の最小長さとなっており、保持具８０の内側フランジ８２の最大内径ａ２は内側フランジ８２の内側縁８２Ａの向い合う２点間を結ぶ直線の最大長さとなっている。
【００４８】
また注出口４０の注出口フランジ４２の最大外径ｂ１は注出口フランジ４２の外側縁４２Ａの向い合う２点間を結ぶ直線の最大長さとなっており、注出口４０の注出口フランジ４２の最小外径ｂ２は注出口フランジ４２の外側縁４２Ａの向い合う２点間を結ぶ直線の最小長さとなっている。
【００４９】
ここで、上記ａ２、ｂ２を規定する「向い合う２点間」とは、向い合う２点間を利用して注出口フランジ４２が保持具８０内の空間をスムースに通過することを意味する。
【００５０】
上記ａ１、ｂ１を規定する「向い合う２点間」とは、向い合う２点間を利用して注出口フランジ４２が保持具８０の内側フランジ８２に係合可能なことを意味する。
【００５１】
ところで、図２に示すように本実施の形態において、注出口４０は、上述のように注出口本体４１と、注出口本体４１に連接された接合部５０とを有しているが、この接合部５０はその外面に形成された少なくとも一本の連続する溝１００を有している（図１１（ａ）参照）。この溝１００は注出口４０の接合部５０を袋本体３に対して溶着する際、ヒートシール強度を向上させ、接合部５０と袋本体３との間のエアを放出して密封性を向上させるものである。  
ここで接合部５０の外面とは袋本体３に溶着される面をいう。
【００５２】
図１１（ａ）に示すように、接合部５０に形成された少なくとも一本の溝１００は、溝線（以下、線ともいう）１１１からなり、溝１００の一端部１００ａおよび他端部１００ｂはいずれも接合部５０の上縁５０ａに連通する連通端部となっている。すなわち、溝１００の一端部１００ａおよび他端部１００ｂはいずれも接合部５０の下縁５０ｂ、側縁５０ｃ、５０ｄに連通することはなく、接合部５０の上縁５０ａのみに連通する。
【００５３】
このように各溝１００の一端部１００ａおよび他端部１００ｂは上縁５０ａに連通する連通端部となっている。このため例えば注出口４０を袋本体３の上縁３ａに溶着する際、注出口４０と袋本体３との間に残るエアをこの一端部１００ａおよび他端部１００ｂから外方へ逃すことができる。このため注出口４０と袋本体３との間にエアが残ることはなく、袋本体３に対して注出口４０を確実に溶着して取付けることができる。
【００５４】
また、本実施の形態の液体収納容器１と外装容器５との組合体によれば、液体収納容器１が外装容器５内で支持された状態において、注出口４０の接合部５０が確実に袋本体３に接合されているため、液体収納容器１は内容量が大きく内容物の荷重負荷が袋本体３に大きく掛かる場合であってもその荷重に十分耐えることができる。
【００５５】
また溝１００の一端部１００ａおよび他端部１００ｂは、いずれも接合部５０の上縁５０ａに連通しているため、溝１００内に入り込んだ内容液は必ず上縁５０ａに戻される。このため袋本体３内の内容液が接合部５０を通って外方へ漏れることはない。すなわち、上縁５０ａと下縁５０ｂは連通していないので、内容物が溝１００を通って外方へ漏洩することはない。
【００５６】
さらにまた、溝１００の一端部１００ａおよび他端部１００ｂが接合部５０の上縁５０ａに連通しているため、溝１００は接合部５０上において必ず曲がり部１０１を有することになり、溝１００は複数の方向、例えば任意のｘ方向およびｘ方向に直交するｙ方向に延びることになる。この曲がり部１０１は直角に限らず鋭角あるいは鈍角でもよく、丸められてもよい。
【００５７】
このように溝１００は任意のｘ方向およびｙ方向に延びるため、この双方の方向に関してヒートシール強度を高めることができる。
【００５８】
次に接合部５０に形成された溝１００の変形例を以下説明する。  
図１１（ａ）に示す実施の形態において、溝１００の一端部１００ａおよび他端部１００ｂが接合部５０の上縁５０ａに連通する例を示したが、これに限らず、溝１００の一端部１００ａおよび他端部１００ｂは接合部５０の左側縁５０ｃに連通する連通端部となっていてもよく、右側縁５０ｄに連通してもよい（図１１（ｂ）参照）。この場合、後述のように、袋本体３内から注出口本体４１へ向かう液体の流れ方向に沿った縁５０ｃ、５０ｄに連通しているため、内容液が溝１００を通って外方へ漏洩することを防止できる。
【００５９】
あるいは図１１（ｃ）に示すように、溝１００の一端部１００ａおよび他端部１００ｂは接合部５０の下縁５０ｂに連通する連通端部となっていてもよい（図１１（ｃ）参照）。この場合、溝１００内に入り込んだ内容液は必ず下縁５０ｂに戻され、袋本体３から外方へ漏れることはない。
【００６０】
次に接合部５０に形成された溝１００の他の変形例を述べる。  
図１２（ａ）に示すように、接合部５０に２本の溝１００が設けられている。
【００６１】
２本の溝１００の一端部１００ａおよび他端部１００ｂは、いずれも接合部５０の上縁５０ａに連通する連通端部となっている。
【００６２】
あるいは図１２（ｂ）に示すように、接合部５０に２本の溝１００が設けられ、このうち一方の溝１００の一端部１００ａおよび他端部１００ｂは、いずれも接合部５０の左側縁５０ｃに連通する連通端部となっている。また他方の溝１００の一端部１００ａおよび他端部１００ｂは、いずれも接合部５０の上縁５０ａに連通する連通端部となっている。
【００６３】
あるいは図１２（ｃ）に示すように、接合部５０に２本の溝１００が設けられ、このうち一方の溝１００の一端部１００ａおよび他端部１００ｂは、いずれも接合部５０の上縁５０ａに連通する連通端部となっている。また他方の溝１００の一端部１００ａおよび他端部１００ｂは、いずれも接合部５０の下縁５０ｂに連通する連通端部となっている。
【００６４】
あるいは図１２（ｄ）に示すように、接合部５０に２本の溝１００が設けられ、このうち一方の溝１００の一端部１００ａおよび他端部１００ｂは、いずれも接合部５０の上縁５０ａに連通する連通端部となっている。また他方の溝１００の一端部１００ａおよび他端部１００ｂは、いずれも接合部５０の右側縁５０ｃに連通する連通端部となっている。
【００６５】
あるいは図１２（ｅ）に示すように、接合部５０に２本の溝１００が設けられ、このうち一方の溝１００の一端部１００ａおよび他端部１００ｂは、いずれも接合部５０の左側縁５０ｃに連通する連通端部となっている。また他方の溝１００の一端部１００ａおよび他端部１００ｂも接合部５０の左側縁５０ｃに連通する連通端部となっている。
【００６６】
図１２（ｆ）に示すように、接合部５０に２本の溝１００が設けられ、一方の溝１００の一端部１００ａおよび他端部１００ｂはいずれも接合部５０の左側縁５０ｃに連通する連通端部となっている。また他方の溝１００の一端部１００ａおよび他端部１００ｂはいずれも接合部５０の下縁５０ｂに連通する連通端部となっている。
【００６７】
あるいは図１２（ｇ）に示すように、接合部５０に２本の溝１００が設けられ、一方の溝１００の一端部１００ａおよび他端部１００ｂは、いずれも接合部５０の左側縁５０ｃに連通する連通端部となっている。
【００６８】
また他方の溝１００の一端部１００ａおよび他端部１００ｂは、いずれも接合部５０の右側縁５０ｄに連通する連通端部となっている。
【００６９】
あるいは図１２（ｈ）に示すように、接合部５０に２本の溝１００が設けられ、一方の溝１００の一端部１００ａおよび他端部１００ｂは、いずれも接合部５０の下縁５０ｂに連通する連通端部となっている。
【００７０】
また他方の溝１００の一端部１００ａおよび他端部１００ｂは、いずれも接合部５０の下縁５０ｂに連通する連通端部となっている。
【００７１】
あるいは図１２（ｉ）に示すように、接合部５０に２本の溝１００が設けられ、一方の溝１００の一端部１００ａおよび他端部１００ｂは、いずれも接合部５０の下縁５０ｂに連通する連通端部となっている。
【００７２】
また他方の溝１００の一端部１００ａおよび他端部１００ｂは、いずれも接合部５０の右側縁５０ｄに連通する連通端部となっている。
【００７３】
あるいは図１２（ｊ）に示すように、接合部５０に２本の溝１００が設けられ、一方の溝１００の一端部１００ａおよび他端部１００ｂは、いずれも接合部５０の右側縁５０ｄに連通する連通端部となっている。
【００７４】
また他方の溝１００の一端部１００ａおよび他端部１００ｂは、いずれも接合部５０の右側縁５０ｄに連通する連通端部となっている。
【００７５】
図１２（ａ）〜（ｊ）において、溝１００の一端部１００ａおよび他端部１００ｂは、いずれも接合部５０の共通した同一の縁に連通しているため、溝１００内に入り込んだ内容液は必ず同一の縁に戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
また、溝１００は袋本体３内から注出口本体４１へ向かう流れ方向に沿った縁５０ｃ、５０ｄに連通しているため、内容物が溝１００を通って外方へ漏洩することを防止できる。さらに、溝１００は上縁５０ａ、下縁５０ｂに連通しているため、溝１００内に入り込んだ内容液は必ず上縁５０ａ、下縁５０ｂに戻され、袋本体３から外方へ漏洩することはない。
【００７６】
さらにまた、溝１００の一端部１００ａおよび他端部１００ｂが接合部５０の同一の縁に連通しているため、溝１００は接合部５０上において必ず曲がり部１０１を有することになり、溝１００は複数の方向、例えば任意のｘ方向およびｘ方向に直交するｙ方向に延びることになる。
【００７７】
このように溝１００はｘ方向およびｙ方向に延びるため、この双方の方向に関してヒートシール強度を高めることができる。
【００７８】
あるいは図１３（ａ）に示すように、接合部５０に２本の溝１００が設けられ、一方の溝１００の一端部１００ａおよび他端部１００ｂは、いずれも接合部５０の上縁５０ａに連通する連通端部となっている。
【００７９】
また他方の溝１００の一端部１００ａおよび他端部１００ｂは、いずれも接合部５０の左側縁５０ｃに連通する連通端部となっている。
【００８０】
あるいは図１３（ｂ）に示すように、接合部５０に２本の溝１００が設けられ、一方の溝１００の一端部１００ａおよび他端部１００ｂは、いずれも接合部５０の上縁５０ａに連通する連通端部となっている。
【００８１】
また他方の溝１００の一端部１００ａおよび他端部１００ｂは、いずれも接合部５０の下縁５０ｂに連通する連通端部となっている。
【００８２】
あるいは図１３（ｃ）に示すように、接合部５０に２本の溝１００が設けられ、一方の溝１００の一端部１００ａおよび他端部１００ｂは、いずれも接合部５０の上縁５０ａに連通する連通端部となっている。
【００８３】
また他方の溝１００の一端部１００ａおよび他端部１００ｂは、いずれも接合部５０の右側縁５０ｄに連通する連通端部となっている。
【００８４】
あるいは図１３（ｄ）に示すように、接合部５０に２本の溝１００が設けられ、一方の溝１００の一端部１００ａおよび他端部１００ｂは、いずれも接合部５０の左側縁５０ｃに連通する連通端部となっている。
【００８５】
また他方の溝１００の一端部１００ａおよび他端部１００ｂは、いずれも接合部５０の下縁５０ｂに連通する連通端部となっている。
【００８６】
あるいは図１３（ｅ）に示すように、接合部５０に２本の溝１００が設けられ、一方の溝１００の一端部１００ａおよび他端部１００ｂは、いずれも接合部５０の左側縁５０ｃに連通する連通端部となっている。
【００８７】
また他方の溝１００は一方の溝１００と上下方向で重なり合い、他方の溝１００の一端部１００ａおよび他端部１００ｂは、いずれも接合部５０の右側縁５０ｄに連通する連通端部となっている。
【００８８】
あるいは図１３（ｆ）に示すように、接合部５０に２本の溝１００が設けられ、一方の溝１００の一端部１００ａおよび他端部１００ｂは、いずれも接合部５０の右側縁５０ｄに連通する連通端部となっている。
【００８９】
また他方の溝１００の一端部１００ａおよび他端部１００ｂは、いずれも接合部５０の下縁５０ｂに連通する連通端部となっている。
【００９０】
図１３（ａ）〜（ｆ）において、溝１００の一端部１００ａおよび他端部１００ｂは、いずれも接合部５０の共通した同一の縁に連通しているため、溝１００内に入り込んだ内容液は必ず同一の縁に戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
また、溝１００は袋本体３内から注出口本体４１へ向かう流れ方向に沿った縁５０ｃ、５０ｄに連通しているため、内容物が溝１００を通って外方へ漏洩することを防止できる。さらに、溝１００は上縁５０ａ、下縁５０ｂに連通しているため、溝１００内に入り込んだ内容液は必ず上縁５０ａ、下縁５０ｂに戻され、袋本体３から外方へ漏洩することはない。
【００９１】
さらにまた、溝１００の一端部１００ａおよび他端部１００ｂが接合部５０の同一の縁に連通しているため、溝１００は接合部５０上において必ず曲がり部１０１を有することになり、溝１００は複数の方向、例えば任意のｘ方向およびｘ方向に直交するｙ方向に延びることになる。
【００９２】
このように溝１００はｘ方向およびｙ方向に延びるため、この双方の方向に関してヒートシール強度を高めることができる。
【００９３】
あるいは図１４（ａ）に示すように、接合部５０に４本の溝１００が設けられ、１本目の溝１００の一端部１００ａおよび他端部１００ｂは、いずれも接合部５０の上縁５０ａに連通する連通端部となっている。
【００９４】
また２本目の溝１００の一端部１００ａおよび他端部１００ｂは、いずれも接合部５０の下縁５０ｂに連通する連通端部となっている。
【００９５】
さらに３本目の溝１００の一端部１００ａおよび他端部１００ｂは、いずれも接合部５０の左側縁５０ｃに連通する連通端部となっている。
【００９６】
また４本目の溝１００の一端部１００ａおよび他端部１００ｂは、いずれも接合部５０の右側縁５０ｄに連通する連通端部となっている。
【００９７】
あるいは図１４（ｂ）に示すように、接合部５０に４本の溝１００が設けられ、４本の溝１００において、各々の一端部１００ａおよび他端部１００ｂは、いずれも接合部５０の下縁５０ｂに連通する連通端部となっている。
【００９８】
図１４（ａ）（ｂ）において、溝１００の一端部１００ａおよび他端部１００ｂは、いずれも接合部５０の下縁５０ｂに連通しているため、溝１００内に入り込んだ内容液は必ず下縁５０ｂに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
【００９９】
さらにまた、溝１００の一端部１００ａおよび他端部１００ｂが接合部５０の下縁５０ｂに連通しているため、溝１００は接合部５０上において必ず曲がり部１０１を有することになり、溝１００は複数の方向、例えば任意のｘ方向およびｘ方向に直交するｙ方向に延びることになる。
【０１００】
このように溝１００はｘ方向およびｙ方向に延びるため、この双方の方向に関してヒートシール強度を高めることができる。
【０１０１】
あるいは図１５（ａ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１０２】
また溝１００の曲がり部１０１には、溝１００から分岐する分岐線（分岐部）１１２が接続されている。
【０１０３】
あるいは図１５（ｂ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１０４】
また溝１００のうち、曲がり部１０１と他端部１００ｂとの間には、溝１００から縁５０ａと溝１００とで囲まれる領域の外側へ向かって分岐する分岐線１１２が接続されている。
【０１０５】
あるいは図１５（ｃ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１０６】
また溝１００の曲がり部１０１には、溝１００から下方へ向かって分岐する分岐線（分岐部）１１２が接続されている。
【０１０７】
あるいは図１５（ｄ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１０８】
また溝１００のうち、曲がり部１０１と他端部１００ｂとの間には、溝１００から縁５０ａと溝１００とで囲まれる領域の内側へ向かって分岐する分岐線１１２が接続されている。
【０１０９】
あるいは図１５（ｅ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１１０】
また溝１００には、溝１００から縁５０ａと溝１００とで囲まれる領域の内側に上縁５０ａ側に向かって、分岐する分岐線（分岐部）１１２が接続されている。
【０１１１】
あるいは図１５（ｆ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１１２】
また溝１００のうち、曲がり部１０１と他端部１００ｂとの間には、溝１００から縁５０ａと溝１００とで囲まれる領域の外側へ向かって分岐する３本の分岐線１１２が接続されている。
【０１１３】
あるいは図１５（ｇ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１１４】
また溝１００の下方部には、溝１００から縁５０ａと溝１００とで囲まれる領域の外側に下縁５０ｂ側に向かって、分岐する９本の分岐線（分岐部）１１２が接続されている。
【０１１５】
あるいは図１５（ｈ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１１６】
また溝１００のうち、曲がり部１０１と他端部１００ｂとの間には、溝１００から縁５０ａと溝１００とで囲まれる領域の内側へ向かって分岐する２本の分岐線１１２が接続されている。
【０１１７】
あるいは図１５（ｉ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１１８】
また溝１００には、溝１００から縁５０ａと溝１００とで囲まれる領域の内側に上縁５０ａ側に向かって、分岐する７本の分岐線（分岐部）１１２が接続されている。
【０１１９】
あるいは図１５（ｊ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１２０】
また溝１００のうち、曲がり部１０１と他端部１００ｂとの間には、溝１００から縁５０ａと溝１００とで囲まれる領域の内側および外側に向かって分岐する計５本の分岐線１１２が接続されている。
【０１２１】
あるいは図１５（ｋ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１２２】
また溝１００には、溝１００から上下方向に向かって分岐する計１６本の分岐線（分岐部）１１２が接続されている。
【０１２３】
あるいは図１５（ｌ）に示すように、接合部５０に溝線１１１を含む溝１００が設けられ、溝１００の一端部１００ａおよび他端部１００ｂは、いずれも接合部５０の上縁５０ａに連通する連通端部となっている。
【０１２４】
また溝１００には溝１００から下方に向かって分岐する分岐線１１２と、曲がり部１０１と他端部１００ｂとの間には、溝１００から上縁５０ａと溝１００とで囲まれる領域の外側へ分岐する分岐線１１２が接続されている。
【０１２５】
図１５（ａ）〜（ｌ）において、溝１００の一端部１００ａおよび他端部１００ｂは、いずれも接合部５０の共通した同一の上縁５０ａに連通しているため、溝１００内に入り込んだ内容液は必ず上縁５０ａに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
【０１２６】
さらにまた、溝１００の一端部１００ａおよび他端部１００ｂが接合部５０の上縁５０ａに連通しているため、溝１００は接合部５０上において必ず曲がり部１０１を有することになり、溝１００は複数の方向、例えば任意のｘ方向およびｘ方向に直交するｙ方向に延びることになる。
【０１２７】
このように溝１００はｘ方向およびｙ方向に延びるため、この双方の方向に関してヒートシール強度を高めることができる。
【０１２８】
あるいは図１６（ａ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の曲がり部１０１と他端部１００ｂとの間の曲がり部１０１側に縁５０ａと溝１００とで囲まれる領域の外側に向かう閉鎖形状領域１１３が設けられている。ここで閉鎖形状領域１１３とは溝線により囲まれて閉じた形状をもつ領域をいう。
【０１２９】
あるいは図１６（ｂ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の曲がり部１０１と他端部１００ｂとの間の中間部分に縁５０ａと溝１００とで囲まれる領域の外側へ向かう閉鎖形状領域１１３が設けられている。
【０１３０】
あるいは図１６（ｃ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の下方部右側には、縁５０ａと溝１００とで囲まれる領域の外側へ向かう閉鎖形状領域１１３が設けられている。
【０１３１】
あるいは図１６（ｄ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の曲がり部１０１と他端部１００ｂとの間の中間部分に縁５０ａと溝１００とで囲まれる領域の内側へ向かう閉鎖形状領域１１３が設けられている。
【０１３２】
あるいは図１６（ｅ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の下方部に縁５０ａと溝１００とで囲まれる領域の内側へ向かう閉鎖形状領域１１３が設けられている。
【０１３３】
あるいは図１６（ｆ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の曲がり部１０１と他端部１００ｂとの間に、縁５０ａと溝１００とで囲まれる領域の外側へ向かう２つの閉鎖形状領域１１３が設けられている。
【０１３４】
あるいは図１６（ｇ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の下方部に８個の連続する閉鎖形状領域１１３が設けられている。
【０１３５】
あるいは図１６（ｈ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の下方部、および曲がり部１０１と他端部１００ｂとの間にかけて縁５０ａと溝１００とで囲まれる領域の内側へ向かう２つの閉鎖形状領域１１３が設けられている。
【０１３６】
あるいは図１６（ｉ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の曲がり部１０１と他端部１００ｂとの間に、縁５０ａと溝１００とで囲まれる領域の内側および外側へ向かう閉鎖形状領域１１３が各々２つずつ設けられている。
【０１３７】
あるいは図１６（ｊ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の下方部には上方へ向かう計１６個の閉鎖形状領域１１３が設けられている。
【０１３８】
あるいは図１６（ｋ）に示すように、接合部５０に溝線１１１を含む溝１００が設けられ、溝１００の一端部１００ａおよび他端部１００ｂは、いずれも接合部５０の上縁５０ａに連通する連通端部となっている。また溝１００の曲がり部と他端部１００ｂとの間の中間部分に縁５０ａと溝１００とで囲まれる領域の外側へ向かう閉鎖形状領域１１３が設けられ、溝１００の下方部に下方へ向かう計４個の閉鎖形状領域１１３が設けられている。
【０１３９】
図１６（ａ）〜（ｋ）において、溝１００の一端部１００ａおよび他端部１００ｂは、いずれも接合部５０の共通した同一の上縁５０ａに連通しているため、溝１００内に入り込んだ内容液は必ず上縁５０ａに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
また、閉鎖形状領域１１３が溝１００で囲まれている部分であって縁５０ａ、５０ｂ、５０ｃ５０ｄに連通していないため、閉鎖形状領域１１３は接合部５０内に留まり、そのため、内容液が閉鎖形状領域１１３を通って外方へ漏洩することもない。さらに、閉鎖形状領域１１３を追加することで溝１００の合計長を増やすことができるため、ヒートシール強度をより高めることができる。
【０１４０】
さらにまた、溝１００の一端部１００ａおよび他端部１００ｂが接合部５０の上縁５０ａに連通しているため、溝１００は接合部５０上において必ず曲がり部１０１を有することになり、溝１００は複数の方向、例えば任意のｘ方向およびｘ方向に直交するｙ方向に延びることになる。
【０１４１】
このように溝１００はｘ方向およびｙ方向に延びるため、この双方の方向に関してヒートシール強度を高めることができる。
【０１４２】
あるいは図１７（ａ）に示すように、接合部５０に溝線１１１を含む溝１００が設けられ、溝１００の一端部１００ａおよび他端部１００ｂはいずれも接合部５０の上縁５０ａに連通する連通端部となっている。また溝１００の曲がり部１０１と他端部１００ｂとの間には、縁５０ａと溝１００とで囲まれる領域の外側に向かう３本の分岐線１１２が設けられるとともに、縁５０ａと溝１００とで囲まれる領域の内側へ向かう２つの閉鎖形状領域１１３が設けられている。
【０１４３】
あるいは図１７（ｂ）に示すように、接合部５０に溝線１１１を含む溝１００が設けられ、溝１００の一端部１００ａおよび他端部１００ｂはいずれも接合部５０の上縁５０ａに連通する連通端部となっている。また溝１００の曲がり部１０１と他端部１００ｂとの間には、縁５０ａと溝１００とで囲まれる領域の外側に向かう２つの閉鎖形状領域１１３が設けられるとともに、左方内側へ向かう３本の分岐線１１２が設けられている。
【０１４４】
図１７（ａ）（ｂ）において、溝１００の一端部１００ａおよび他端部１００ｂは、いずれも接合部５０の上縁５０ａに連通しているため、溝１００内に入り込んだ内容液は必ず上縁５０ａに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
【０１４５】
さらにまた、溝１００の一端部１００ａおよび他端部１００ｂが接合部５０の上縁５０ａに連通しているため、溝１００は接合部５０上において必ず曲がり部１０１を有することになり、溝１００は複数の方向、例えば任意のｘ方向およびｘ方向に直交するｙ方向に延びることになる。
【０１４６】
このように溝１００はｘ方向およびｙ方向に延びるため、この双方の方向に関してヒートシール強度を高めることができる。
【０１４７】
あるいは図１８（ａ）に示すように、接合部５０に溝線１１１を含む溝１００が設けられ、溝１００の一端部１００ａおよび他端部１００ｂはいずれも接合部５０の上縁５０ａに連通する連通端部となっている。また溝１００には上縁５０ａと溝１００とで囲まれる領域の内側に溝線１１１ａが接続され、この溝線１１１ａの追加端部１００ｃは上縁５０ａに連通している。
【０１４８】
あるいは図１８（ｂ）に示すように、接合部５０に溝線１１１を含む溝１００が設けられ、溝１００の一端部１００ａおよび他端部１００ｂはいずれも接合部５０の上縁５０ａに連通する連通端部となっている。また溝１００には上縁５０ａと溝１００とで囲まれる領域の内側に７本の溝線１１１ａが接続され、この溝線１１１ａの追加端部１００ｃは上縁５０ａに連通している。
【０１４９】
あるいは図１８（ｃ）に示すように、接合部５０に溝線１１１を含む溝１００が設けられ、溝１００の一端部１００ａおよび他端部１００ｂはいずれも接合部５０の上縁５０ａに連通する連通端部となっている。また溝１００の下方部には下方向へ向かう複数の分岐線１１２が接続され、溝１００の上方向へ向かう溝１１１ａの追加端部１００ｃは上縁５０ａに連通している。
【０１５０】
あるいは図１８（ｄ）に示すように、接合部５０に溝線１１１を含む溝１００が設けられ、溝１００の一端部１００ａおよび他端部１００ｂはいずれも接合部５０の上縁５０ａに連通する連通端部となっている。また溝１００の下方部には上方へ向かう複数の溝１１１ａが接続され、溝１１１ａの追加端部１００ｃは上縁５０ａに連通している。また溝１００の下方部には下方へ向かう複数の閉鎖形状領域１１３が設けられている。
【０１５１】
あるいはまた、図１８（ｅ）に示すように、接合部５０に溝線１１１を含む溝１００が設けられ、溝１００の一端部１００ａおよび他端部１００ｂはいずれも接合部５０の上縁５０ａに連通する連通端部となっている。また溝１００には下方へ向かう複数の閉鎖形状領域１１３が設けられ、この閉鎖形状領域１１３に連続して下方へ向かう複数の分岐線１１２が設けられている。さらに溝１００には上方へ向かう複数の溝線１１１ａが設けられ、溝線１１１ａの追加端部１００ｃは上縁５０ａに連通している。
【０１５２】
図１８（ａ）〜（ｅ）において、溝１００の一端部１００ａおよび他端部１００ｂは、いずれも接合部５０の上縁５０ａに連通しているため、溝１００内に入り込んだ内容液は必ず上縁５０ａに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
【０１５３】
さらにまた、溝１００の一端部１００ａおよび他端部１００ｂが接合部５０の上縁５０ａに連通しているため、溝１００は接合部５０上において必ず曲がり部１０１を有することになり、溝１００は複数の方向、例えば任意のｘ方向およびｘ方向に直交するｙ方向に延びることになる。
【０１５４】
このように溝１００はｘ方向およびｙ方向に延びるため、この双方の方向に関してヒートシール強度を高めることができる。
【０１５５】
あるいはまた、図１９に示すように接合部５０に溝線１１１を含む溝１００が設けられ、この溝１００の溝線１１１は幅広に形成されている。そして溝１００の一端部１００ａと他端部１００ｂは接合部５０の上縁５０ａに連通する連通端部となっている。
【０１５６】
図１９において、溝１００の一端部１００ａおよび他端部１００ｂは、いずれも接合部５０の上縁５０ａに連通しているため、溝１００内に入り込んだ内容液は必ず上縁５０ａに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
【０１５７】
さらにまた、溝１００の一端部１００ａおよび他端部１００ｂが接合部５０の上縁５０ａに連通しているため、溝１００は接合部５０上において必ず曲がり部１０１を有することになり、溝１００は複数の方向、例えば任意のｘ方向およびｘ方向に直交するｙ方向に延びることになる。
【０１５８】
このように溝１００はｘ方向およびｙ方向に延びるため、この双方の方向に関してヒートシール強度を高めることができる。
【０１５９】
また、溝１００の溝線１１１は幅広となっているため、ヒートシール時のエアを効果的に排出可能となる。
【０１６０】
あるいは図２０（ａ）に示すように、接合部５０に溝線１１１を含む溝１００が設けられ、この溝１００の一端部１００ａと他端部１００ｂは接合部５０の上縁５０ａに連通する連通端部となっている。
【０１６１】
また接合部５０に溝１００と別個に追加溝１１５が設けられている。この追加溝１１５の一端部１１５ａは接合部５０の左側縁５０ｃに連通し、他端部１１５ｂは接合部５０の右側縁５０ｄに連通している。このように追加溝１１５の一端部１１５ａおよび他端部１１５ｂの双方が接合部５０の左側縁５０ｃおよび右側縁５０ｄ、すなわち袋本体３内から注出口本体４１へ向かう液体の流れ方向に沿った縁５０ｃおよび５０ｄに連通しているため、内容液が追加溝１１５を通って外方へ漏洩することを防止できる。
【０１６２】
あるいは図２０（ｂ）に示すように、接合部５０に溝線１１１を含む溝１００が設けられ、この溝１００の一端部１００ａと他端部１００ｂは接合部５０の上縁５０ａに連通する連通端部となっている。
【０１６３】
また接合部５０に溝１００と別個に追加溝１１５が設けられている。この追加溝１１５の一端部１１５ａは接合部５０の左側縁５０ｃに連通し、他端部１１５ｂは接合部５０の右側縁５０ｄに連通し、かつ追加溝１１５は中間部分１１５ｃで不連続となっている。
【０１６４】
あるいは図２０（ｃ）に示すように、接合部５０に溝線１１１を含む溝１００が設けられ、この溝１００の一端部１００ａと他端部１００ｂは接合部５０の上縁５０ａに連通する連通端部となっている。
【０１６５】
また接合部５０に溝１００と別個に追加溝１１５が設けられている。この追加溝１１５の一端部１１５ａは接合部５０の左側縁５０ｃに連通し、他端部１１５ｂは接合部５０の下縁５０ｂに連通している。このように追加溝１１５の一端部１１５ａおよび他端部１１５ｂの少なくとも一方の一端部１１５ａが接合部５０の左側縁５０ｃ、すなわち袋本体３内から注出口本体４１へ向かう液体の流れ方向に沿った縁５０ｃに連通しているため、内容液が追加溝１１５を通って外方へ漏洩することを防止できる。
【０１６６】
図２０（ａ）〜（ｃ）において、溝１００の一端部１００ａおよび他端部１００ｂは、いずれも接合部５０の上縁５０ａに連通しているため、溝１００内に入り込んだ内容液は必ず上縁５０ａに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
【０１６７】
さらにまた、溝１００の一端部１００ａおよび他端部１００ｂが接合部５０の上縁５０ａに連通しているため、溝１００は接合部５０上において必ず曲がり部１０１を有することになり、溝１００は複数の方向、例えば任意のｘ方向およびｘ方向に直交するｙ方向に延びることになる。
【０１６８】
このように溝１００はｘ方向およびｙ方向に延びるため、この双方の方向に関してヒートシール強度を高めることができる。
【０１６９】
あるいはまた、図２１（ａ）に示すように、接合部５０に溝線１１１を含む２本の溝１００が設けられ、一方の溝１００の一端部１００ａと他端部１００ｂは接合部５０の左側縁５０ｃに連通する連通端部となっており、他方の溝１００の一端部１００ａと他端部１００ｂは接合部５０の右側縁５０ｄに連通する連通端部となっている。
【０１７０】
そして一方の溝１００および他方の溝１００には溝１００で囲まれた領域外側へ向かう複数の分岐線１１２が設けられている。
【０１７１】
あるいはまた、図２１（ｂ）に示すように、接合部５０に溝線１１１を含む２本の溝１００が設けられ、一方の溝１００の一端部１００ａと他端部１００ｂは接合部５０の左側縁５０ｃに連通する連通端部となっており、他方の溝１００の一端部１００ａと他端部１００ｂは接合部５０の右側縁５０ｄに連通する連通端部となっている。
【０１７２】
そして一方の溝１００および他方の溝１００には、溝１００で囲まれた領域内側へ向かう複数の分岐線１１２が設けられている。
【０１７３】
あるいはまた、図２１（ｃ）に示すように、接合部５０に溝線１１１を含む２本の溝１００が設けられ、一方の溝１００の一端部１００ａと他端部１００ｂは接合部５０の左側縁５０ｃに連通する連通端部となっており、他方の溝１００の一端部１００ａと他端部１００ｂは接合部５０の右側縁５０ｄに連通する連通端部となっている。
【０１７４】
そして一方の溝１００および他方の溝１００には、複数の分岐線１１２が設けられている。
【０１７５】
図２１（ａ）〜（ｃ）において、一方の溝１００の一端部１００ａおよび他端部１００ｂは、いずれも接合部５０の左側縁５０ｃに連通し、他方の溝１００の一端部１００ａおよび他端部１００ｂはいずれも右側縁５０ｄに連通している。このため溝１００内に入り込んだ内容液は必ず左側縁５０ｃあるいは右側縁５０ｄに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
また、溝１００は袋本体３内から注出口本体４１へ向かう流れ方向に沿った縁５０ｃ、５０ｄに連通しているため、内容物が溝１００を通って外方へ漏洩することを防止できる。さらに、溝１００は上縁５０ａ、下縁５０ｂに連通しているため、溝１００内に入り込んだ内容液は必ず上縁５０ａ、下縁５０ｂに戻され、袋本体３から外方へ漏洩することはない。
【０１７６】
さらにまた、一方の溝１００の一端部１００ａおよび他端部１００ｂが接合部５０の左側縁５０ｃに連通し、他方の溝１００の一端部１００ａおよび他端部１００ｂが右側縁５０ｄに連通しているため、溝１００は接合部５０上において必ず曲がり部１０１を有することになり、溝１００は複数の方向、例えば任意のｘ方向およびｘ方向に直交するｙ方向に延びることになる。
【０１７７】
このように溝１００はｘ方向およびｙ方向に延びるため、この双方の方向に関してヒートシール強度を高めることができる。
【０１７８】
あるいはまた、図２２（ａ）に示すように、接合部５０に溝線１１１を含む２本の溝１００が設けられ、一方の溝１００の一端部１００ａおよび他端部１００ｂは接合部５０の上縁５０ａに連通する連通端部となっている。また他方の溝１００の一端部１００ａおよび他端部１００ｂは接合部５０の下縁５０ｂに連通する連通端部となっている。
【０１７９】
そして一方の溝１００および他方の溝１００には、上縁５０ａおよび下縁５０ｂに各々連通する溝線１１１ａが設けられている。
【０１８０】
あるいはまた、図２２（ｂ）に示すように、接合部５０に溝線１１１を含む２本の溝１００が設けられ、一方の溝１００の一端部１００ａおよび他端部１００ｂは接合部５０の上縁５０ａに連通する連通端部となっている。また他方の溝１００の一端部１００ａおよび他端部１００ｂは接合部５０の下縁５０ｂに連通する連通端部となっている。
【０１８１】
そして一方の溝１００および他方の溝１００には閉鎖形状領域１１３が設けられている。
【０１８２】
あるいはまた、図２２（ｃ）に示すように、接合部５０に溝線１１１を含む２本の溝１００が設けられ、一方の溝１００の一端部１００ａおよび他端部１００ｂは接合部５０の左側縁５０ｃに連通する連通端部となっている。また他方の溝１００の一端部１００ａおよび他端部１００ｂは接合部５０の右側縁５０ｄに連通する連通端部となっている。
【０１８３】
そして一方の溝１００および他方の溝１００には、左側縁５０ｃおよび右側縁５０ｄに各々連通する溝線１１１ａが設けられている。
【０１８４】
あるいはまた、図２２（ｄ）に示すように、接合部５０に溝線１１１を含む２本の溝１００が設けられ、一方の溝１００の一端部１００ａおよび他端部１００ｂは接合部５０の左側縁５０ｃに連通する連通端部となっている。また他方の溝１００の一端部１００ａおよび他端部１００ｂは接合部５０の右側縁５０ｄに連通する連通端部となっている。
【０１８５】
そして一方の溝１００および他方の溝１００には閉鎖形状領域１１３が設けられている。
【０１８６】
図２２（ａ）〜（ｄ）において、各溝１００の一端部１００ａおよび他端部１００ｂは、いずれも接合部５０の共通した同一の縁に連通しているため、溝１００内に入り込んだ内容液は必ずこの同一の縁に戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
また、溝１００は袋本体３内から注出口本体４１へ向かう流れ方向に沿った縁５０ｃ、５０ｄに連通しているため、内容物が溝１００を通って外方へ漏洩することを防止できる。さらに、溝１００は上縁５０ａ、下縁５０ｂに連通しているため、溝１００内に入り込んだ内容液は必ず上縁５０ａ、下縁５０ｂに戻され、袋本体３から外方へ漏洩することはない。
【０１８７】
さらにまた、溝１００の一端部１００ａおよび他端部１００ｂが接合部５０の共通した同一の縁に連通しているため、溝１００は接合部５０上において必ず曲がり部１０１を有することになり、溝１００は複数の方向、例えば任意のｘ方向およびｘ方向に直交するｙ方向に延びることになる。
【０１８８】
このように溝１００はｘ方向およびｙ方向に延びるため、この双方の方向に関してヒートシール強度を高めることができる。
【０１８９】
あるいはまた、図２３（ａ）に示すように、接合部５０の上方に溝線１１１を含む４本の溝１００が設けられ、接合部５０の下方に溝線１１１を含む４本の溝１００が設けられている。そして上方の溝１００の一端部１００ａおよび他端部１００ｂは接合部５０の上縁５０ａに連通する連通端部となっている。また下方の溝１００の一端部１００ａおよび他端部１００ｂは接合部５０の下縁５０ｂに連通する連通端部となっている。
【０１９０】
あるいはまた、図２３（ｂ）に示すように、接合部５０の上方に溝線１１１を含む４本の溝１００が設けられ、これら各溝１００には下方へ向かう閉鎖形状領域１１３が設けられている。
【０１９１】
図２３（ａ）（ｂ）において、各溝１００の一端部１００ａおよび他端部１００ｂは、いずれも接合部５０の共通した同一の縁に連通しているため、溝１００内に入り込んだ内容液は必ずこの同一の縁に戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
【０１９２】
さらにまた、溝１００の一端部１００ａおよび他端部１００ｂが接合部５０の共通した同一の縁に連通しているため、溝１００は接合部５０上において必ず曲がり部１０１を有することになり、溝１００は複数の方向、例えば任意のｘ方向およびｘ方向に直交するｙ方向に延びることになる。
【０１９３】
このように溝１００はｘ方向およびｙ方向に延びるため、この双方の方向に関してヒートシール強度を高めることができる。
【０１９４】
あるいはまた、図２４（ａ）に示すように、接合部５０の上方に溝線１１１を含む４本の溝１００が設けられている。そして各溝１００の一端部１００ａおよび他端部１００ｂは接合部５０の上縁５０ａに連通する連通端部となっている。
【０１９５】
また接合部５０の下方には、袋本体３内から注出口本体４１へ向かう内容液の流れ方向に沿った縁５０ｃ、５０ｄに連通する一端部１１５ａと他端部１１５ｂとを有する複数の追加溝１１５が設けられている。
【０１９６】
あるいはまた、図２４（ｂ）に示すように、接合部５０の上方に溝線１１１を含む４本の溝１００が設けられている。そして各溝１００の一端部１００ａおよび他端部１００ｂは接合部５０の上縁５０ａに連通する連通端部となっている。
【０１９７】
また接合部５０の下方には、袋本体３内から注出口本体４１へ向かう内容液の流れ方向に沿った縁５０ｃ、５０ｄに連通する一端部１１５ａと他端部１１５ｂとを有する複数の追加溝１１５が設けられている。また各追加溝１１５の中間部分１１５ｃで不連続となっている。
【０１９８】
あるいはまた、図２４（ｃ）に示すように、接合部５０の上方に溝線１１１を含む４本の溝１００が設けられている。そして各溝１００の一端部１００ａおよび他端部１００ｂは接合部５０の上縁５０ａに連通する連通端部となっている。
【０１９９】
また接合部５０の下方には、複数の溝線により囲まれた１１３ａが設けられている。
【０２００】
図２４（ａ）〜（ｃ）において、溝１００の一端部１００ａおよび他端部１００ｂは、いずれも接合部５０の上縁５０ａに連通しているため、溝１００内に入り込んだ内容液は必ず上縁５０ａに戻される。このため袋本体３内の内容液が接合部５０を通って外方へ漏れることはない。
また注出口４０を袋本体３の上縁３に溶着する際、注出口４０と袋本体３との間に残るエアをこの一端部１００ａおよび他端部１００ｂから外方へ逃がすことができる。このため注出口４０と袋本体３との間にエアが残ることはなく、袋本体３に対して注出口４０を確実に溶着して取付けることができる。
【０２０１】
さらにまた、溝１００の一端部１００ａおよび他端部１００ｂが接合部５０の上縁５０ａに連通しているため、溝１００は接合部５０上において必ず曲がり部１０１を有することになり、溝１００は複数の方向、例えば任意のｘ方向およびｘ方向に直交するｙ方向に延びることになる。
【０２０２】
このように溝１００はｘ方向およびｙ方向に延びるため、この双方の方向に関してヒートシール強度を高めることができる。
【０２０３】
あるいはまた、図２５（ａ）に示すように、接合部５０の上方に幅広の溝線１１１を含む４本の溝１００が設けられている。そして各溝１００の一端部１００ａと他端部１００ｂは接合部５０の上縁５０ａに連通する連通端部となっている。
【０２０４】
あるいはまた、図２５（ｂ）に示すように、接合部５０の左方および右方に、各々幅広の溝線１１１を含む溝１００が設けられ、左方の溝１００の一端部１００ａと他端部１００ｂは接合部５０の左側縁５０ｃに連通する連通端部となっている。また右方の溝１００の一端部１００ａと他端部１００ｂは接合部５０の右側縁５０ｄに連通する連通端部となっている。さらに左方の溝１００および他方の溝１００には幅広の分岐線１１２が接続している。
【０２０５】
図２５（ａ）（ｂ）において、各溝１００の一端部１００ａおよび他端部１００ｂは、いずれも接合部５０の共通した同一の縁に連通しているため、溝１００内に入り込んだ内容液は必ず共通した同一の縁に戻される。このため袋本体３内の内容液が接合部５０を通って外方へ漏れることはない。
【０２０６】
さらにまた、溝１００の一端部１００ａおよび他端部１００ｂが接合部５０の共通した同一の縁に連通しているため、溝１００は接合部５０上において必ず曲がり部１０１を有することになり、溝１００は複数の方向、例えばｘ方向およびｘ方向に直交するｙ方向に延びることになる。
【０２０７】
このように溝１００はｘ方向およびｙ方向に延びるため、この双方の方向に関してヒートシール強度を高めることができる。
【０２０８】
また溝１００の溝線１１１、あるいは分岐線１１２が幅広に形成されているため、ヒートシール時のエアを効果的に排出可能となる。
【０２０９】
次に図２６乃至図３０により、注出口４０の変形例について更に説明する。  
図２６（ａ）（ｂ）（ｃ）に示すように、注出口４０はフランジ４２を有する円筒状の注出口本体４１と、この注出口本体４１の端部に連接されたリング状の接合部５０とを備えている。図２７（ａ）（ｂ）に示すように、リング状の接合部５０は袋本体３の内面に溶着され、袋本体３と注出口４０とにより、液体収納容器１が構成される。
【０２１０】
この場合、リング状の接合部５０は、袋本体３の内面に溶着されるが（図２７（ａ）（ｂ）参照）、リング状の接合部５０を袋本体３の外面に溶着してもよい（図２７（ｃ）参照）。また、接合部５０は、袋本体３の内面または外面であって、袋本体３の周縁部以外の領域（袋本体３の面内という）に溶着されている。この場合、接合部５０の外面が平面状であるため、接合部５０と袋本体３とを溶着しやすい。そのため、液体収納容器１の製造が容易である。
【０２１１】
次に図２８（ａ）乃至図３０（ｅ）により、接合部５０の構成について説明する。  
接合部５０は上述のように、円筒状の注出口本体４１端部に連接されるとともに、注出口本体４１の軸線に対して交わる平面上に形成され、リング状をなしている。ここで注出口本体４１の軸線とは、注出口本体４１上に直線をとって母線として、母線に平行な直線を軸として回転させたときに母線のつくる回転面が注出口本体４１の面になるとき、軸とした直線のことを指しており、円筒状の注出口本体４１の中心を通る。
【０２１２】
このような接合部５０は図２８（ａ）に示すように、外縁５０ｅと内縁５０ｆとを有し、接合部５０の外面に溝線１１１を有する複数の溝１００が形成されている。各溝１００は外縁５０ｅに連通する一端部１００ａと他端部１００ｂとを有する。  
ここで接合部５０の外面とは、袋本体３と溶着する面をいう。
【０２１３】
あるいは図２８（ｂ）に示すように、接合部５０に形成された各溝１００は溝線１１１から分岐する分岐線１１２を有していてもよい。あるいはまた図２８（ｃ）に示すように、各溝１００は溝線１１１と、溝線１１１に接続された閉鎖形状領域１１３とを有していてもよい。
【０２１４】
あるいは、各溝１００は外縁５０ｅに連通する一端部１００ａおよび他端部１００ｂを有する溝線１１１と、この溝線１１１に接続された閉鎖形状領域１１３とを有し、更に閉鎖形状領域１１３に分岐線１１２を接続してもよい（図２８（ｄ）参照）。
【０２１５】
また各溝１００は外縁５０ｅに連通する一端部１００ａと他端部１００ｂとを有する溝線１１１と、この溝線１１１から分岐する分岐線１１２を接続し、各溝１００間を分岐線１１２により連結してもよい（図２８（ｅ）参照）。
【０２１６】
また接合部５０は上述のように、円筒状の注出口本体４１端部に連接されるとともに、注出口本体４１の軸線に対して交わる平面上に形成され、リング状をなしている。
【０２１７】
このような接合部５０は図２９（ａ）に示すように、外縁５０ｅと内縁５０ｆとを有し、接合部５０の外面に溝線１１１を有する複数の溝１００が形成されている。各溝１００は内縁５０ｃに連通する一端部１００ａと他端部１００ｂを有している。
【０２１８】
あるいは図２９（ｂ）に示すように、溝線１１１から分岐する分岐線１１２を有していてもよい。また図２９（ｃ）に示すように、各溝１００は一端部１００ａと他端部１００ｂを有する溝線１１１と、溝線１１１に接続された閉鎖形状領域１１３とを有していてもよい。
【０２１９】
あるいは、各溝１００は内縁５０ｅに連通する一端部１００ａと他端部１００ｂを有する溝線１１１と、この溝線１１１に接続された閉鎖形状領域１１３と、閉鎖形状領域１１３に接続された分岐線１１２とを有していてもよい（図２９（ｄ）参照）。
【０２２０】
また各溝１００は内縁５０ｆに一端部１００ａおよび他端部１００ｂを有する溝線１１１と、この溝線１１１間を連結する分岐線１１２とを有していてもよい（図２９（ｅ）参照）。
【０２２１】
接合部５０は上述のように、円筒状の注出口本体４１端部に連接されるとともに、注出口本体４１の軸線に対して交わる平面上に形成され、リング状をなしている。
【０２２２】
このような接合部５０は図３０（ａ）に示すように、外縁５０ｅと内縁５０ｆとを有し、接合部５０の外面に溝線１１１を有する複数の溝１００が形成されている。接合部５０の溝１００は外縁５０ｅに連通する一端部１００ａと他端部１００ｂとを有する。また接合部５０の内側の溝１００は内縁５０ｆに連通する一端部１００ａと他端部１００ｂとを有する。
【０２２３】
あるいは図３０（ｂ）に示すように、接合部５０に形成された各溝１００は分岐線１１２を有していてもよい。また図３０（ｃ）に示すように、各溝１００は一端部１００ａおよび他端部１００ｂを有する溝線１１１と、溝線１１１に連結された閉鎖形状領域１１３とを有していてもよい。
【０２２４】
あるいは、各溝１００は外縁５０ｅまたは内縁５０ｆに連通する一端部１００ａおよび他端部１００ｂを有する溝線１１１と、この溝線１１１に連結された閉鎖形状領域１１３と、閉鎖形状領域１１３に連結された分岐線１１２とを有していてもよい（図３０（ｄ）参照）。
【０２２５】
また各溝１００は外縁５０ｅまたは内縁５０ｆに連通する一端部１００ａおよび他端部１００ｂを有する溝線１１１と、この溝線１１１同士を連結する分岐線１１２とを有していてもよい（図３０（ｅ）参照）。
【０２２６】
なお、図２６乃至図３０に示す変形例において、図１１乃至図２７に示す実施の形態と同様の作用効果を奏する。
【０２２７】
次に本発明の他の変形例について、図３２乃至図３４により説明する。  
図３２乃至図３４に示す変形例は、袋本体１０としてガセットタイプの袋本体を用いたものであり、他の構成は図１乃至図３１に示す実施の形態と略同一である。
【０２２８】
図３２乃至図３４に示すように、本実施の形態の液体収納容器１は、袋本体３と、この袋本体３に接合された注出口４０とを備え、このうち袋本体３は、前面（図３２及び図３３（ａ）における手前側の面）および背面（図３２及び図３３（ａ）における奥側の面）に配置された２枚の矩形の多重フィルム２と、この多重フィルム２の両側部（図３２及び図３３（ａ）における左右方向の両側部）に各１枚ずつ配置された２枚の多重フィルム２’と、を有し、これらの多重フィルム２，２’の隣接する縁部が互いにヒートシールにて液密に接合されて構成されている。多重フィルム２’は、初期状態において、折り込み部２２として袋本体３の両側部で内側に折り込まれているが、袋本体３内に液体が充填されるにつれて次第に拡がり、襠を形成するようになっている。
【０２２９】
これらの多重フィルム２，２’は、例えば次のようにして互いに接合され、袋本体３を構成している。すなわち、まず、２枚の多重フィルム２が、互いの長辺及び短辺同士が一致し、且つ、互いの内袋２１が対向するように、重ね合わせられる。そして、２枚の多重フィルム２’が、内袋２１が外側になるように二つ折りにされた状態で、２枚の多重フィルム２の間に挟み込まれる。この時、図３２に示すように、各多重フィルム２’は、その長辺が多重フィルム２の各長辺に一致し、当該多重フィルム２’の折り目３ｇ（図３２及び図３３（ａ）における破線で示されている）が多重フィルム２の幅方向内側に位置するように、配置される。そして、対向配置された２枚の多重フィルム２の間に多重フィルム２’が存在している領域（図３２における破線で挟まれた領域の外側領域）においては、多重フィルム２及び多重フィルム２’の縁部が、折り目３ｇを除いてヒートシールにて液密に接合される。更に、対向配置された２枚の多重フィルム２の間に多重フィルム２’が存在していない領域（図３２において破線で挟まれた領域）においては、上縁３ａにおいて、２枚の多重フィルム２の間に注出口４０が挿入され、当該注出口４０の接合部５０と多重フィルム２の上縁（図３２における上縁）３ａとがヒートシールにて液密に接合され、底縁３ｂにおいて、２枚の多重フィルム２同士がヒートシールにて液密に接合される。
【０２３０】
上述のように袋本体３は多重フィルム２および多重フィルム２’をガセット状に折畳み、周縁をヒートシールしてヒートシール部１０を形成することにより得られる。この場合、袋本体３は上縁３ａと、底縁３ｂと、２側縁３ｃ、３ｃとを有する矩形形状を有している。また上縁３ａは１本の上縁ヒートシール部１０ａを含み、底縁３ｂは１本の底縁ヒートシール部１０ｂを含み、各側縁３ｃ、３ｃは１本の側縁ヒートシール部１０ｃを有し、これら上縁ヒートシール部１０ａと、底縁ヒートシール部１０ｂと、側縁ヒートシール部１０ｃとによりヒートシール部１０が構成されている。
【０２３１】
また、本実施の形態では袋本体３の上縁３ａは、上述のように１本の上縁ヒートシール部１０ａを含むが、上縁３ａに２本以上のヒートシール部を形成してもよい。
【０２３２】
また注出口４０は、袋本体３の上縁３ａに溶着された接合部５０と、該接合部５０に連接され袋本体３から外方へ突出する注出口本体４１とを有し、注出口本体４１の上端には注出口フランジ４２が設けられている。また、図１に示すように、注出口４０は接合部５０で多重フィルム２の内袋２１間に溶着されている。
【０２３３】
注出口４０の接合部５０は、図３２、図３３（ａ）および図３４（ａ）に示すように、中央部５１と、中央部５１の両側に設けられ中央部５１の厚みより薄肉となる薄肉部５２をもつ楕円筒体からなり、扁平状で中央部５１に貫通穴４５を有する。通常、注出口４０を接合部５０において多重フィルム２の内袋２１間に溶着する際に、内袋２１間と接合部５０の端部で囲まれる２つの領域に隙間ができて密封不良となり易い。これを防止するために両側に薄肉部５２を設け、溶着時にこの薄肉部５２を溶融することにより隙間ができることを防止する。
【０２３４】
また注出口４０の注出口本体４１は、断面形状が略Ｕ字形状の筒状体からなり、その上端周縁に注出口フランジ４２が設けられている。注出口本体４１の底部４３には、開口４４が形成されている。この開口４４によって液体収納容器１と、後述する外装容器５との間に通気を確保することができ、使用時に内容液を汲み出す際には、この開口４４を通じて液体収納容器１と外装容器５との間に気体を導入して、液体収納容器１の外部から大気体をかけて液体収納容器１内部の内容液の汲み出しをスムーズに行うことができる。また注出口本体４１内の底部４３には、注出口上部部材７０が垂直方向に延びて設けられている。
【０２３５】
注出口４０の注出口フランジ４２は外装容器５に形成された開口部５ａに上述の保持具８０を介して装着され、液体収納容器１が外装容器５内で支持される。
【０２３６】
また袋本体３のガセット状に折畳まれた折り目３ｇは、注出口４０の接合部５の両端位置近傍にある。
【０２３７】
なお、折り目３ｇは注出口４０の接合部５の両側位置と袋本体３の左右端との間であれば、どこに設けてもよい。例えば図３３（ｂ）および図３４（ｂ）に示すように、折り目３ｇを注出口４０の接合部５の両側位置と袋本体３の左右端との間の中間位置にもってくることにより、上縁ヒートシール部１０ａ、および多重フィルム２の上縁３ａとの接合部について、図３４（ａ）に示す左右２つの４方向分岐を、図３４（ｂ）に示すように、左右で複数の３方向分岐にして接合を分散させて、袋本体３の強度を向上させることができる。
【符号の説明】
【０２３８】
１  液体収納容器
３  袋本体
３ａ  上縁
３ｂ  底縁
３ｃ  側縁
３ｇ  折り目
５  外装容器
５ａ  開口部
１０  ヒートシール部
２０  外袋
２１  内袋
２２  折り込み部
４０  注出口
４１  注出口本体
４２  注出口フランジ
４７  中間部
５０  接合部
５０ａ  上縁
５０ｂ  下縁
５０ｃ  左側縁
５０ｄ  右側縁
８０  保持具
８０Ａ  注出口と保持具の組合体
１００  溝
１００ａ  一端部
１００ｂ  他端部
１１１  溝線
１１２  分岐線
１１３  閉鎖形状領域
１１５  追加溝
【図１】
0006720617.tif 000002
【図２】
0006720617.tif 000003
【図３】
0006720617.tif 000004
【図４】
0006720617.tif 000005
【図５】
0006720617.tif 000006
【図６】
0006720617.tif 000007
【図７】
0006720617.tif 000008
【図８】
0006720617.tif 000009
【図９】
0006720617.tif 000010
【図１０】
0006720617.tif 000011
【図１１】
0006720617.tif 000012
【図１２】
0006720617.tif 000013
【図１３】
0006720617.tif 000014
【図１４】
0006720617.tif 000015
【図１５】
0006720617.tif 000016
【図１６】
0006720617.tif 000017
【図１７】
0006720617.tif 000018
【図１８】
0006720617.tif 000019
【図１９】
0006720617.tif 000020
【図２０】
0006720617.tif 000021
【図２１】
0006720617.tif 000022
【図２２】
0006720617.tif 000023
【図２３】
0006720617.tif 000024
【図２４】
0006720617.tif 000025
【図２５】
0006720617.tif 000026
【図２６】
0006720617.tif 000027
【図２７】
0006720617.tif 000028
【図２８】
0006720617.tif 000029
【図２９】
0006720617.tif 000030
【図３０】
0006720617.tif 000031
【図３１】
0006720617.tif 000032
【図３２】
0006720617.tif 000033
【図３３】
0006720617.tif 000034
【図３４】
0006720617.tif 000035